(57)【特許請求の範囲】
【請求項１】
毛束を二つ折りにしてその折り曲げ部を歯ブラシのヘッド部表面に凹設した植毛穴に挿入し、前記毛束の折り曲げ部の内側に平線をわたし、前記平線の両端部を前記ヘッド部表面に固定した歯ブラシにおいて、
隣り合う植毛穴の間の穴間壁の頂面の高さを植毛面の高さより低くしたことを特徴とする、歯ブラシ。
【請求項２】
毛束を二つ折りにしてその折り曲げ部を歯ブラシのヘッド部表面に凹設した植毛穴に挿入し、前記毛束の折り曲げ部の内側に平線をわたし、前記平線の両端部を前記ヘッド部表面に固定した歯ブラシにおいて、
隣り合う植毛穴の間の穴間壁の頂部のコーナー部と平線が、毛束を横断する方向に毛束に対する圧力作用線を形成することを特徴とする、歯ブラシ。
【発明の詳細な説明】
【技術分野】
【０００１】
本発明は平線と呼ばれる線材によって毛束を植毛する平線植毛歯ブラシに関する。特に本発明は、毛の先端部である平線植毛歯ブラシの刷掃部において、毛束隙間がなく毛が均等に配置される平線植毛歯ブラシに関する。
【０００２】
ここで、一般に「平線」とは横断面形状が扁平な線材を意味するが、歯ブラシの植毛の分野では横断面形状が扁平な線材によって毛束を固定することが一般的であったため、固定用の線材のことを「平線」と呼び、この植毛方式を慣行的に「平線植毛」と呼んでいた。
【０００３】
しかし、本発明において「平線」というときは毛束固定用の線材を指し、線材の横断面形状を限定するものではない。
【背景技術】
【０００４】
一般に歯ブラシの植毛には「融着植毛」と「平線植毛」がある。
【０００５】
融着植毛とは、必要な長さの毛をその基端で歯ブラシのヘッド部に融着させて固定する植毛方式である。
【０００６】
これに対して、平線植毛は、必要な長さの約２倍の長さの毛を二つ折りにし、折り曲げ部を平線によって固定する植毛方式である。
【０００７】
具体的には、平線植毛は、歯ブラシのヘッド部表面に「植毛穴」と呼ばれる凹部を設け、必要な長さの約２倍の長さの毛を複数本束ねて毛束とし、毛束の中間点で毛束を二つ折りにして前記植毛穴に挿入し、毛束の折り曲げ部分の内側に平線をわたし、前記平線の両端部を植毛穴周縁部に固定するようにする。
【０００８】
図１は従来の平線植毛歯ブラシを上方から見たところを示している。
【０００９】
図１に示すように、平線植毛歯ブラシ１は、ハンドル部２とヘッド部３とを有している。
【００１０】
ヘッド部３の表面には、複数の植毛穴４が凹設されている。
【００１１】
植毛穴４は後に説明するように歯ブラシの毛を埋設する凹部である。植毛穴４は、図１に示すように、刷掃効果があがるように適切な配列でヘッド部３に配設されている。
【００１２】
図２は平線植毛歯ブラシ１のヘッド部３を上方から見たところを拡大して示している。
【００１３】
図３は図２の矢印Ａ−Ａに見たところの植毛の縦断面図を示している。
【００１４】
平線の配列が明らかに分かるように図２では毛の図示を省略している。
【００１５】
図２と図３に示すように、平線植毛は必要な長さの約２倍の長さの毛５を複数本束ねて毛束６とし、毛束６の中間点で毛束６を二つ折りにして植毛穴４に挿入する。
【００１６】
図３に明らかに示すように、毛束６の折り曲げ部分の内側に平線７をわたし、平線７の両端部を図２に示すように植毛穴４の周縁部の歯ブラシヘッド部の表面に固定するようにする。平線７の抑えにより、毛５が平線植毛歯ブラシ１のヘッド部３に固定される。
【００１７】
図３に示すように、植毛された毛５は植毛穴４の内側の側壁面にガイドされ、実質的に植毛面から直立している。
【先行技術文献】
【特許文献】
【００１８】
【特許文献１】特開２００１−２８６３４１号公報
【特許文献２】特開２００６−１７４９０５号公報
【特許文献３】特開平１１−１１３６３４号公報
【発明の概要】
【発明が解決しようとする課題】
【００１９】
上述したように、従来の歯ブラシの平線植毛は、植毛穴４の内側の側壁面にガイドされて、毛５が植毛面から直立している。隣り合う植毛穴４と植毛穴４の間には隔壁である穴間壁８が存在する
このため、植毛穴４の間の穴間壁８の厚さの分だけ植毛された毛束６が分離され、毛５の先端の刷掃部で毛束６の間に毛束間隙ｄが存在する。
【００２０】
平線植毛歯ブラシ１の刷掃部に毛束間隙ｄが存在することは、刷掃むらの原因になる。また、通常は植毛後に毛５の先端をトリミングして所定の毛先形状にするが、毛の先端部に毛束間隙ｄが存在する場合、例えば連続したジグザクの毛先面の毛先形状にしようとする時などに、ジグザクの毛先面に不連続な隙間ができてしまい、所望の毛先形状にならない場合がある。
【００２１】
そこで、本発明が解決しようとする一つの課題は、上記従来の平線植毛歯ブラシの短所を解決し、毛の先端の刷掃部において、毛束隙間がほぼなく、毛が均等に配置される平線植毛歯ブラシを提供することにある。
【００２２】
また、一般的に植毛穴が浅ければ浅いほど毛先が広がって歯ブラシの毛先部分で毛が均等になり、刷掃むらや毛先形状の形成の点で好ましい。しかし、植毛穴が浅過ぎる場合、毛を固定する力が弱くなるため、植毛穴を浅くすることに限界があった。
【００２３】
このため、植毛穴を浅くして毛先の広がりを得つつ、植毛の強度を高くしたいという要求があった。
【００２４】
そこで、本発明が解決しようとするもう一つの課題は、植毛穴を浅くして毛先の広がるようにする一方、植毛の強度が高い平線植毛歯ブラシを提供することにある。
【課題を解決するための手段】
【００２５】
本発明の歯ブラシは、
毛束を二つ折りにしてその折り曲げ部を歯ブラシのヘッド部表面に凹設した植毛穴に挿入し、前記毛束の折り曲げ部の内側に平線をわたし、前記平線の両端部を前記ヘッド部表面に固定した歯ブラシにおいて、隣り合う植毛穴の間の穴間壁の頂面の高さを植毛面の高さより低くしたことを特徴とする。
【００２７】
本発明の他の歯ブラシは、
毛束を二つ折りにしてその折り曲げ部を歯ブラシのヘッド部表面に凹設した植毛穴に挿入し、前記毛束の折り曲げ部の内側に平線をわたし、前記平線の両端部を前記ヘッド部表面に固定した歯ブラシにおいて、隣り合う植毛穴の間の穴間壁の頂部のコーナー部と平線が、毛束を横断する方向に毛束に対する圧力作用線を形成することを特徴とする。
【００２８】
上記本発明の歯ブラシにおいて、植毛面から植毛穴の底までの距離が３．０ｍｍ〜３．８ｍｍであり、植毛面から穴間壁の頂面までの距離が０．７ｍｍ〜１．２ｍｍであり、植毛面から毛の先端までの距離が８．０ｍｍ〜１３．０ｍｍであるようにすることができる。
【発明の効果】
【００２９】
隣り合う植毛穴の間の穴間壁の頂面の高さを植毛面の高さより低くした本発明の歯ブラシによれば、穴間壁の高さが低く、穴間壁の内側面によって毛をガイドして直立させる作用が小さい。このため、植毛された毛束が先端において広がる。
【００３０】
これにより、毛の先端の刷掃部の毛束間隙が少なくなり、刷掃むらが生じる可能性が低くなる。
【００３１】
また、毛の先端部において、毛が均等に配置されるため、毛先をトリミング等する場合に、所望の毛先形状を得ることができる。
【００３２】
隣り合う植毛穴の間の穴間壁の頂部のコーナー部を面取り加工した本発明の歯ブラシによれば、穴間壁の頂部が薄くなり、穴間壁は上部に拡開する形状となる。
【００３３】
このため、毛束が穴間壁の内側面に沿って先端部が拡開する。これにより、歯ブラシの毛の先端の刷掃部において毛束間隙が少なくなり、刷掃むらが生じる可能性が低くなり、毛先をトリミング等する場合に、所望の毛先形状を得ることができる。
【００３４】
隣り合う植毛穴の間の穴間壁の頂部のコーナー部と平線が毛束を横断する方向に毛束に対する圧力作用線を形成するようにした本発明の歯ブラシによれば、圧力作用線に力が集中し、穴間壁の頂部のコーナー部と平線が毛束を横断する方向に毛束を圧縮・挟着するため、植毛の強度を高くすることができる。
【００３５】
また、毛束がその基部において圧力作用線で圧縮・挟着されるため、毛の先端が拡開し、刷掃部の毛束間隙ｄが無くなり、刷掃むらが生じることが少なく、毛先をトリミングして所定の毛先形状に形成する際に、所望の毛先形状を得ることができるようになる。
【００３６】
平線と穴間壁の頂部のコーナー部の間に上記圧力作用線を形成し、かつ、植毛面から植毛穴の底までの距離が３．０ｍｍ〜３．８ｍｍ、植毛面から穴間壁の頂面までの距離が０．７ｍｍ〜１．２ｍｍ、植毛面から毛の先端までの距離が８．０ｍｍ〜１３．０ｍｍであるようにした場合には、毛束の基端部の圧縮・圧着と毛束の先端部分の広がりがバランスされ、植毛穴を浅くしても、高い強度で植毛を保持することができ、且つ、歯ブラシの毛先部分で毛が均等に配置され毛束間隙ｄが無い平線植毛歯ブラシを得ることができる。
【図面の簡単な説明】
【００３７】
【図１】従来の平線植毛歯ブラシの平面図。
【図２】従来の平線植毛歯ブラシのヘッド部の拡大平面図。
【図３】従来の平線植毛歯ブラシの平線植毛部の縦断面図。
【図４】本発明の一実施形態による平線植毛歯ブラシの植毛穴の縦断面図。
【図５】本発明の他の実施形態による平線植毛歯ブラシの植毛穴の縦断面図。
【図６】本発明の他の実施形態による平線植毛歯ブラシの植毛穴の縦断面図。
【発明を実施するための形態】
【００３８】
以下、添付図面を参照して、本発明の実施形態を説明する。
【００３９】
図４は本発明の一実施形態による平線植毛歯ブラシの植毛穴の縦断面図を示している。
【００４０】
図４において、図３と同一部分については同一の符号を付して重複する説明を省略する。
【００４１】
本実施形態では、隣り合う植毛穴４の穴間壁９の頂面の高さが植毛面１０の高さより低くなっている。換言すると、穴間壁９の高さが、穴底から植毛面１０までの高さより低くなっている。
【００４２】
植毛面１０は、植毛穴４を穿設する前の部材の表面、例えば平線植毛歯ブラシ１のヘッド部３の表面である。
【００４３】
本実施形態によれば、穴間壁９の側壁内面によってガイドされる高さが低くなり、図４に示すように、毛束６の先端が拡開する。これにより、毛束６の先端における毛束間隙（図３の毛束間隙ｄ）がなくなり、刷掃むらが生じる可能性が低くなる。
【００４４】
また、通常植毛後に毛の先端をトリミングするが、その際にも毛の先端部で毛束間隙がないため、所望の毛先形状にトリミングすることができる。
【００４５】
また、毛束間隙がなくなるため、植毛の密度が高いように見えて外観も好ましい。
【００４６】
なお、一連または一群の植毛穴４の最外周の植毛穴４は、側壁内面が高いため、最外周の毛５はほぼ直角に立ち上がる。通常植毛が広がることによって歯ブラシの使用限界を判断するため、最外周の毛５がほぼ直角に立ち上がることは、使用可能であることを一目で判断でき、一方所定の使用期間経過後は、使用限界を毛先の広がりによって一目で判断できるようにする効果を有する。
【００４７】
また、通常は歯ブラシの植毛は、まんべんなく毛が配置されるのではなく、幾つかのまとまった「植毛ブロック」に分けて配置される。この植毛ブロックは奥歯を磨くための植毛ブロックや前歯を磨くための植毛ブロックというように、機能的に、また、美感的にデザインされる。本発明においては、まとまった「植毛ブロック」に対し、最外周の毛５がほぼ直角に立ち上がることは、植毛ブロック内で毛が密に配置されることと相まって、植毛ブロックを認識しやすく、植毛ブロックとしての機能を果たすことができるとともに、好ましい外観を呈することができる。これらの点は、以下に述べる本発明の他の実施形態においても同様である。
【００４８】
図５は本発明の他の実施形態による平線植毛歯ブラシの植毛穴の縦断面図を示している。
【００４９】
本実施形態では、隣り合う植毛穴４の間の穴間壁の頂部のコーナー部１０ａを面取り加工している。
【００５０】
図５の例では、コーナー部に直線的な傾斜面をつけているが、「面取り」加工はコーナー部を円弧状にすることも含む。
【００５１】
本実施形態によれば、穴間壁は上部に向かって尖端化し、反対に植毛穴は上部に向かって拡開する形状となる。このため、毛束が穴間壁の内側面に沿って先端部が拡開する。
【００５２】
これにより、歯ブラシの毛の先端の刷掃部において毛束間隙が少なくなり、毛束間隙による刷掃むらが生じる可能性が低くなる。また、歯ブラシの先端部で毛束間隙が少ないため、毛先をトリミング等する場合、所望の毛先形状を得ることができる。
【００５３】
図６は本発明のさらに他の実施形態による平線植毛歯ブラシの植毛穴の縦断面図を示している。
【００５４】
この実施形態では、穴間壁１１の頂部のコーナー部１１ａと平線７が、毛束６を横断する方向に毛束に対する圧力作用線Ｌを形成するようにしている。
【００５５】
圧力作用線Ｌは、穴間壁１１の頂部コーナー部１１ａと平線７が、毛束６に対して鋭角的に突出するか、狭小部を形成するようにして生成する。たとえば、図６に示すように、穴間壁１１を平線７に比して低くし、毛束６が通過する空間の幅が、穴間壁１１の頂部のコーナー部１１ａと平線７との間で狭い範囲で急激に狭くなるように構成することにより、穴間壁１１の頂部コーナー部１１ａと平線７の間に、毛束に対する圧力作用線Ｌを形成することができる。
【００５６】
本実施形態によれば、穴間壁１１の頂部コーナー部１１ａと平線７が圧力作用線Ｌに沿って毛束６を圧縮・挟着し、毛束６がその基部において圧縮・挟着されるため、先端が拡開し、刷掃部の毛束間隙が少なくなる。
【００５７】
毛束間隙が少なくなるため、刷掃むらが生じることが少なく、毛先をトリミング等する場合、所望の毛先形状にトリミングすることができる。
【００５８】
また、図６に示すように、植毛面から植毛穴の底までの距離が３．０ｍｍ〜３．８ｍｍであり、植毛面から穴間壁の頂面までの距離が０．７ｍｍ〜１．２ｍｍであり、植毛面から毛の先端までの距離が８．０ｍｍ〜１３．０ｍｍとなるように、植毛穴の深さや穴間壁の高さを調整して形成することは好ましい。
【００５９】
上記寸法範囲内で、穴間壁の頂部のコーナー部と平線の間に圧力作用線Ｌを形成することにより、毛束の基端部の圧縮・圧着と毛束の先端部分の広がりがバランスされ、植毛穴を浅くしても、高い強度で植毛を保持することができ、且つ、毛が広がって歯ブラシの毛先部分で毛束間隙ｄが無い平線植毛歯ブラシを得ることができる
【符号の説明】
【００６０】
１  平線植毛歯ブラシ
２  ハンドル部
３  ヘッド部
４  植毛穴
５  毛
６  毛束
７  平線
８  穴間壁
９  高さを低くした穴間壁
１０  植毛面
１０ａ  コーナー部
１１  穴間壁
１１ａ  コーナー部
【図１】
0005456845.tif 000002
【図２】
0005456845.tif 000003
【図３】
0005456845.tif 000004
【図４】
0005456845.tif 000005
【図５】
0005456845.tif 000006
【図６】
0005456845.tif 000007